(57)【要約】【課題】バージン性を保つことが可能で、しかも販促効果の高いディスプレイ機能付きカートンを提供すること。【解決手段】カートン本体の正面パネル２の折返し片を内側下方に折り曲げるとともにスライドパネル２０の係止片を外側上方に折り曲げた状態として、正面パネル２に形成されたスリットＳの表側からスライドパネル２０を下端から挿入することにより、スライドパネル２０の上端が正面パネルのスリットＳから突き出た状態で、スライドパネル２０がカートン本体の正面パネル２の内側にセットされる。カートン本体に対してスライドパネル２０を引き上げると、スライドパネル２０の係止片がカートン本体の正面パネル２の折返し片に引っ掛かって止まるまで引き上げることができ、その引上げ途中においてスライドパネル２０に表示した商品説明などが窓孔を通して連続的に現れる。【選択図】図１
2015063309.tif 000002
【特許請求の範囲】
【請求項１】
正面パネルと背面パネルと左右の側面パネルとからなる角筒状の胴部を有するカートン本体と、カートン本体の正面パネルの内面にセットされるスライドパネルとからなり、カートン本体の正面パネルには、上辺に近接した位置に、内側下方に折り曲げることでスライドパネルを挿通させるためのスリットを形成する折返し片が区画され、その折返し片の下方側に窓孔が設けられており、スライドパネルには、下辺寄りの位置に、外側上方に折り曲げることでカートン本体の折曲げ片に係合するための係止片が区画されており、カートン本体の正面パネルの折返し片を内側下方に折り曲げるとともにスライドパネルの係止片を外側上方に折り曲げた状態として、正面パネルに形成されたスリットの表側からスライドパネルを下端から挿入することにより、スライドパネルの上端が正面パネルのスリットから突き出た状態で、スライドパネルがカートン本体の正面パネルの内側にセットされることを特徴とするディスプレイ機能付きカートン。
【請求項２】
スライドパネルをカートン本体の正面パネルの内側にセットした時に正面パネルの窓孔に重なる開口をスライドパネルに設けたことを特徴とする請求項１に記載のディスプレイ機能付きカートン。
【請求項３】
スライドパネルの裏面に接する状態でカートン本体の胴部内にガイド板を配置したことを特徴とする請求項１又は２に記載のディスプレイ機能付きカートン。
【発明の詳細な説明】
【技術分野】
【０００１】
本発明は、板紙からなるカートンの技術分野に属し、詳しくは、個装製品を収納した状態で流通するとともに、そのまま店頭に並べて販売するために用いられるディスプレイ機能付きカートンに関するものである。
【背景技術】
【０００２】
従来より、各種の個装製品を収納して店頭まで搬送するための入れ物として紙製のカートンが用いられている。このようなカートンのなかには、販売店の店頭にて販売するときに、カートンをそのまま利用して展示するタイプのものがある。例えば、特許文献１，２には、開いた蓋板の裏側を利用して表示面とすることでディスプレイ機能を持たせたものが記載されている。
【先行技術文献】
【特許文献】
【０００３】
【特許文献１】特開平７−１１２７３７号公報
【特許文献２】特開平１１−２２７７５１号公報
【発明の概要】
【発明が解決しようとする課題】
【０００４】
上記したような従来のカートンは、製品を収納して搬送するだけでなく、店頭にてそのまま展示用として使えるという利点を有している。しかしながら、蓋の裏側を表示面にした構成であるため、見た目には展示用の立札と変わるものではなく、消費者の興味をそれほど引くものではない。また、蓋を開けたままの状態で展示することから、商品としてのバージン性がないという問題点がある。
【０００５】
本発明は、このような事情に鑑みてなされたものであり、その目的とするところは、バージン性を保つことが可能で、しかも販促効果の高いディスプレイ機能付きカートンを提供することにある。
【課題を解決するための手段】
【０００６】
上記の目的を達成するため、本発明のディスプレイ機能付きカートンは、正面パネルと背面パネルと左右の側面パネルとからなる角筒状の胴部を有するカートン本体と、カートン本体の正面パネルの内面にセットされるスライドパネルとからなり、カートン本体の正面パネルには、上辺に近接した位置に、内側下方に折り曲げることでスライドパネルを挿通させるためのスリットを形成する折返し片が区画され、その折返し片の下方側に窓孔が設けられており、スライドパネルには、下辺寄りの位置に、外側上方に折り曲げることでカートン本体の折曲げ片に係合するための係止片が区画されており、カートン本体の正面パネルの折返し片を内側下方に折り曲げるとともにスライドパネルの係止片を外側上方に折り曲げた状態として、正面パネルに形成されたスリットの表側からスライドパネルを下端から挿入することにより、スライドパネルの上端が正面パネルのスリットから突き出た状態で、スライドパネルがカートン本体の正面パネルの内側にセットされることを特徴としている。
【０００７】
また、上記構成のディスプレイ機能付きカートンにおいて、スライドパネルをカートン本体の正面パネルの内側にセットした時に正面パネルの窓孔に重なる開口をスライドパネルに設けておくようにしてもよい。
【０００８】
また、上記のディスプレイ機能付きカートンにおいて、スライドパネルの裏面に接する状態でカートン本体の胴部内にガイド板を配置するようにしてもよい。
【発明の効果】
【０００９】
本発明のディスプレイ機能付きカートンは、カートン本体に対してスライドパネルを引き上げると、スライドパネルの係止片がカートン本体の正面パネルの折返し片に引っ掛かって止まるまで引き上げることができ、その引上げ途中においてスライドパネルに表示した製品情報などが窓孔を通して連続的に現れるので、消費者の興味を大きく引くことができるものとなり、また内容物の食べ方や保存方法などを動的変化を持たせて表すようにすれば遊び心のあるものになることから、従来のカートンとは比べ物にならない販促効果を発揮することができる。しかも、スライドパネルはカートンの開封とは関係なく動作できるので、カートンには必要に応じてバージン性を持たせることができる。
【００１０】
そして、スライドパネルをカートン本体の正面パネルの内側にセットした時に正面パネルの窓孔に重なる開口をスライドパネルに設けておくことにより、カートン本体の窓孔から中の製品が見える状態で展示することができる。
【００１１】
また、スライドパネルの裏面に接する状態でカートン本体の胴部内にガイド板を配置することにより、カートン内に丁度入るサイズ以外のものを入れてもスライドパネルを動作させることができるので、収納する製品の種類が増やすことができる。
【図面の簡単な説明】
【００１２】
【図１】本発明に係るディスプレイ機能付きカートンの一例を示す斜視図である。
【図２】図１のディスプレイ機能付きカートンを構成するカートン本体を組み立てるブランクを示す展開図である。
【図３】図１のディスプレイ機能付きカートンを構成するスライドパネルを示す展開図である。
【図４】図１のディスプレイ機能付きカートンに収納する製品の一例を示す斜視図である。
【図５】図１のディスプレイ機能付きカートンのスライドパネルを引き上げた状態を示す説明図である。
【図６】図５に示す状態からさらにスライドパネルを引き上げた状態を示す説明図である。
【図７】図６に示す状態からさらにスライドパネルを引き上げた状態を示す説明図である。
【図８】本発明に係るディスプレイ機能付きカートンに利用するガイド板の一例を示す斜視図である。
【発明を実施するための形態】
【００１３】
次に、本発明の実施形態について図面を参照しながら詳細に説明する。
【００１４】
図１に示すディスプレイ機能付きカートンは、図２にその展開図を示すブランクを組み立てて形成されるカートン本体と、図３に示すスライドパネルとを組み合わせたものであり、このカートンの中には例えば図４に示す２個の個装製品が収納される。
【００１５】
図２のブランクは、板紙を打ち抜いて形成されたもので、図示のように、縦方向の折り線ａ，ｂ，ｃ，ｄを介して左側面パネル１、正面パネル２、右側面パネル３、背面パネル４，糊代片５がこの順で連設されている。左側面パネル１と右側面パネル３の下辺にはそれぞれ折り線ｅ，ｆを介して底面パネル６，７連設され、その底面パネル６，７には折返し部６ａ，７ａがそれぞれ折り線ｇ，ｈにより区画されている。また、正面パネル２と背面パネル４の下辺にはそれぞれ折り線ｉ，ｊを介して底片８，９が連設されている。
【００１６】
正面パネル２の上辺には折り線ｋを介して蓋パネル１０が連設され、その蓋パネル１０の先端には折り線ｌを介して差込み片１１が連設されている。また、左側面パネル１の上辺には折り線ｍを介してフラップ片１２が連設され、このフラップ片１２は、蓋パネル１０の左辺に折り線ｎを介して連設された折込み片１３と折り線ｏで繋がっている。同様に、右側面パネル３の上辺には折り線ｐを介してフラップ片１４が連設され、このフラップ片１４は、蓋パネル１０の右辺に折り線ｑを介して連設された折込み片１５と折り線ｒで繋がっている。
【００１７】
このブランクの正面パネル２には、上辺に近接した位置に、正面パネル２を横断する切れ線αとその下方側に折り線ｓとが形成されており、切れ線αは両端付近で下方に傾斜し、さらに折り線ａ，ｂのところを通って折り線ｓの両端に至っている。切れ線αとその下方の折り線ｓとをこのように形成することで、両者に囲まれる部分は、内側下方に折りまげることでスリットを形成する折返し片１６を区画している。そして、その折返し片１６の下方に隣接して丸い窓孔２ａが設けられている。
【００１８】
このように、折返し片１６を区画する切れ線αを正面パネル２の上部に設けるので、正面パネル２の左右辺の折り線ａ，ｂの上部が切れてしまう恐れがある。そこで、このブランクは、前記したように、蓋パネル１０の左辺と右辺に折込み片１３，１５を設け、これらを左側面パネル１の上辺に連設するフラップ片１２と右側面パネル３の上辺に連設するフラップ片１４とにそれぞれ連設することで、構造的に弱くなるのを防止している。
【００１９】
図３のスライドパネル２０は、図２のブランクと同じ板紙を打ち抜いた一枚もので、カートン本体の正面パネル２の内面にセットされるものであり、正面パネル２より僅かに小さいサイズになっている。このスライドパネル２０には、上辺に折り線ｔを介して半円状の摘み片２１が突設されており、下辺寄りの位置に、概略Ｕ字状の切れ線βとその両端を繋ぐ折り線ｕとで区画される係止片２２が同じ高さとなる位置に２箇所形成されている。なお、係止片２２の折り線ｕは、折曲げやすくするために押し罫の中ほどに切込みを設けてある。
【００２０】
また、このスライドパネル２０には、カートン本体の正面パネル２の内側にセットした時に正面パネル２の窓孔２ａに重なる丸い開口２０ａが形成されている。そして、その開口２０ａの下方には、開口２０ａと同様なサイズの３つの表示領域Ａ，Ｂ，Ｃが等間隔で設けられており、図示のごとく、係止片２２が表示領域Ｂと表示領域Ｃの間に位置するように配置されている。
【００２１】
図２のブランクを組み立てる手順は次のようである。まず、底面パネル６，７の折返し部６ａ，７ａをそれぞれ底片８，９に貼り合わせるとともに、糊代片５を左側面パネル１に貼り合わせたサック貼り状態で折り畳む。そして、この折り畳んだブランクを起こすと、底面パネル６，７の部分がオートロックされてカートンの底部が形成される。なお、底面パネル６，７の折返し部６ａ，７ａを区画する折り線ｇ，ｈは、折曲げやすさを考慮して押し罫の途中に切込みのあるリード罫で形成されている。
【００２２】
このようにサック貼り状態のブランクを起函した後、正面パネル２の折返し片１６を内側下方に折り曲げてから、図４に示す２個の個装製品Ｐを上方からカートンの胴部の中に入れる。このとき重ねた２個の個装製品Ｐはカートンの胴部との間に少しの余裕を残す大きさである。次いで、フラップ片１２と折込み片１３を内側に折り込みながら、同時にフラップ片１４と折込み片１５を内側に折り込みながら蓋パネル１０を後方に傾け、蓋パネル１０の先端にある差込み片１１を背面パネル４の内側に差し込んで蓋パネル１０を閉じることでカートン本体の組立てを完了する。なお、フラップ片１２と折込み片１３の境界線である折り線ｏと、フラップ片１４と折込み片１５の境界線である折り線ｒは、折曲げやすさを考慮して押し罫の途中に切込みのあるリード罫で形成されている。
【００２３】
このようにしてカートン本体を組み立てた後、スライドパネル２０の係止片２２を外側上方に折り曲げた状態とし、折返し片１６を内側下方に折り曲げることで形成されたスリットの表側からスライドパネル２０を下端から挿入する。これにより、図１に示すごとく、摘み片２１のある上端部分が正面パネル２のスリットＳから突き出た状態で、スライドパネル２０がカートン本体の正面パネル２の内側にセットされる。そして、カートンにバージン性を付与したい場合は、蓋パネル１０と背面パネル４とに渡ってシールを貼付すればよい。
【００２４】
図１のディスプレイ機能付きカートンを店頭で陳列して販売するとき、スライドパネル２０の開口２０ａがカートン本体の正面パネル２の窓孔２ａに重なっているので、その窓孔２ａを通して中の個装製品Ｐの窓部分Ｐａが見える状態で展示することができるし、窓部分Ｐａが開いている構成にして製品の中身を見える状態にすることもできる。
【００２５】
また、スライドパネル２０の開口２０ａを設けない構成を採ることもできる。その場合はカートン本体の正面パネル２の窓孔２ａに対応する領域に印刷した所望の絵柄等が見える状態となる。
【００２６】
図１のディスプレイ機能付きカートンは、カートン本体に対してスライドパネル２０をロック位置まで引き上げることができる。すなわち、スライドパネル２０は、スリットＳの下方ではカートン本体の内側に位置し、スリットＳの上方ではカートン本体の外側に位置しているので、摘み片２１を手で持って引き上げると、しなるようにしてスリットから出てくる。このとき、少し引き上げると、図５に示すごとく窓孔２ａのところに表示領域Ａが現れ、また少し引き上げると、図６に示すごとく窓孔２ａのところに表示領域Ｂが現れ、さらに引き上げると、スライドパネル２０の係止片２２がカートン本体の正面パネル２の折返し片１６に引っ掛かってロックされ、図７に示すごとく窓孔２ａのところに表示領域Ｃが現れる。
【００２７】
このように窓孔２ａを通して３つの絵柄等が連続的に現れるので、色々な製品情報を表示することができる。とくに、表示内容を工夫すれば、例えば内容物の食べ方や保存方法などを始めとして色々な商品説明を動的変化を持たせて表すことができる。そして、スライドパネル２０は正面パネル２の折返し片１６とスライドパネル２０の係止片２２とにより抜け止めが施されているので、店頭ではよほど無理に引っ張らない限り抜け出ることはない。
【００２８】
上記の例では、図４に示す個装製品Ｐを収納する場合について説明したが、このようなカートン内に丁度入るサイズの製品ではなく、それ以外の製品を収納する場合は、例えば図４に示すようなガイド板３０を利用する。
【００２９】
このガイド板３０は、板紙や段ボールなどの板材を図示のごとく角筒状に折り曲げたものでよく、カートン本体の胴部に丁度納まるサイズになっており、折り癖で広がろうとするのでカートン本体の胴部内に上方から入れてセットすることができる。そして、ガイド板３０を胴部内に入れてから、そのガイド板３０の中に入れるように製品を投入して蓋パネル１０を閉じるようにする。
【００３０】
このようにしてカートン内に製品を収納してから、カートン本体の正面パネル２のスリットＳからスライドパネル２０を挿入する。このとき、ガイド板３０はスライドパネルの裏面に接する状態でカートン本体の胴部内に配置された状態になっているので、スライドパネル２０は正面パネル２とガイド板３０の間に入り込んで上下に移動可能であり、カートン本体に対して引き上げることができる。スライドパネル２０に開口２０ａが設けてある場合、ガイド板３０の窓部分３０ａに所望の絵柄等を印刷してもよいし、窓部分３０ａを開いた構成にして中が見えるようにしてもよい。
【００３１】
以上、本発明の実施の形態について、二つの例を挙げて詳細に説明してきたが、本発明によるディスプレイ機能付きカートンは、上記した実施の形態に何ら限定されるものではなく、本発明の趣旨を逸脱しない範囲において種々の変更が可能であることは当然のことである。
【００３２】
例えば、上記の例では、スライドパネル２０に１つの開口２０ａと３つの表示領域Ａ，Ｂ，Ｃを設け、これらを等間隔で並べるようにし、一番下の表示領域Ｃが見えるところで止まるようにロック位置を決めたが、表示される絵柄やスライドパネル２０のロック位置はデザインに応じて適宜決めればよいものである。また、正面パネル２の窓孔２ａやスライドパネル２０の開口２０ａの形状も任意である。
【符号の説明】
【００３３】
１  左側面パネル
２  正面パネル
２ａ  窓孔
３  右側面パネル
４  背面パネル
５  糊代片
６，７  底面パネル
６ａ，７ａ  折返し部
８，９  底片
１０  蓋パネル
１１  差込み片
１２  フラップ片
１３  折込み片
１４  フラップ片
１５  折込み片
１６  折返し片
２０  スライドパネル
２０ａ  開口
２１  摘み片
２２  係止片
３０  ガイド板
３０ａ  窓部分
Ａ，Ｂ，Ｃ  表示領域
Ｓ  スリット
Ｐ  個装製品
Ｐａ  窓部分
ａ〜ｕ  折り線
α，β  切れ線
【図１】
2015063309.tif 000003
【図２】
2015063309.tif 000004
【図３】
2015063309.tif 000005
【図４】
2015063309.tif 000006
【図５】
2015063309.tif 000007
【図６】
2015063309.tif 000008
【図７】
2015063309.tif 000009
【図８】
2015063309.tif 000010